【事件の表示】
　特願２００３−　２７３６７「排紙機構」拒絶査定不服審判事件〔平成１６年　８月２６日出願公開、特開２００４−２３８１１９〕について、次のとおり審決する。
【結　論】
　本件審判の請求は、成り立たない。
【理　由】
１．手続の経緯 
　本件審判に係る出願（以下，「本件出願」という）は，平成１５年２月４日にされたもので，平成１９年７月４日付け拒絶理由通知書が送付され，願書に添付した明細書又は図面について同年８月６日付け手続補正書が提出されたものの，同年１０月２日付けで拒絶査定がなされたものである。この拒絶査定を不服として，同年１１月２日に本件審判請求がなされるとともに，本件出願の願書に添付した明細書又は図面について同日付け手続補正書が提出され，その後，平成２１年１月２７日付けで審判請求人に前置報告書の内容を示し意見を求めるための審尋を行ったところ，同年３月１１日付けで回答書が提出されたものである。
　
２．平成１９年１１月２日付けの手続補正についての却下の決定
〔補正の却下の決定の結論〕
　平成１９年１１月２日付けの手続補正（以下，「本件補正」という）を却下する。
　
〔理由〕
（１）本件補正の概要
　本件補正により，特許請求の範囲は，次のとおりに補正された。
「【請求項１】
　装置本体の上部に配設され、原稿の画像情報を読取る原稿読取部と、前記装置本体の下部に配設され、印刷が行われる複数枚のカットシート用紙を収納する給紙部と、前記装置本体の中間部片側に配設される画像形成部と、を具備し、前記装置本体が、前記原稿読取部と給紙部と画像形成部とによって「コ」の字型に形成され、前記装置本体の中間部空間に用紙収納部を配設した画像形成装置に設けられる排紙機構であって、前記用紙収納部の長さは、前記給紙部に格納可能な最大用紙サイズより短く設定され、該用紙収納部の用紙載置面は、用紙排出方向に上り勾配の傾斜が形成されることを特徴とする排紙機構。
【請求項２】
　前記中間部空間の一側面と前面とを連続して開放状態としたことを特徴とする請求項１項に記載の排紙機構。
【請求項３】
　排紙ローラにより印刷後の用紙を用紙搬送方向に直交する方向にオフセットさせ前記用紙収納部上の排紙位置を変えるシフター機構を設けたことを特徴とする請求項１に記載の排紙機構。
【請求項４】
　前記シフター機構は、用紙を排出するオフセットローラを含み用紙搬送方向に直交する方向に移動自在なオフセット部材と、前記オフセット部材を用紙搬送方向に直交する方向に駆動するオフセット用駆動源と、前記オフセットローラに連結される駆動伝達部と、前記駆動伝達部を回転駆動する回転駆動源と、を備える請求項３に記載の排紙機構。」
　
　上記請求項１の補正は，「印刷を行うための用紙を収納する給紙部」との記載を「印刷が行われる複数枚のカットシート用紙を収納する給紙部」に補正するとともに，「用紙収納部の長さは，印刷可能な最大用紙サイズの先端部がはみ出す程度に短く設定され」との記載を「用紙収納部の長さは，前記給紙部に格納可能な最大用紙サイズより短く設定され」に補正するものである。
　本件出願の願書に添付された明細書の段落【００３２】に「給紙部２０は、装置本体の下部に配置され、給紙トレイ２１、手差トレイ２２及びピックアップローラ２３等から構成される。給紙トレイ２１及び手差トレイ２２は、画像形成時に用紙搬送路Ｓに給紙される用紙を載置する。ピックアップローラ２３は、回転駆動されることにより、各トレイ２１、２２に載置された用紙を用紙搬送路Ｓに給紙する。」とある記載を参酌すると，補正前の請求項１においては，「用紙収納部の長さ」の比較対象である「印刷可能な最大用紙サイズ」は，「装置本体の下部に配設される給紙部」（実施例では給紙トレイ２１に相当）に格納可能な用紙ばかりでなく，手差しトレイに給紙される用紙も含めて，それらの中で最大のサイズを意味すると解する余地があったところ，補正後の請求項１においては，「用紙収納部の長さ」の比較対象は「装置本体の下部に配設される給紙部」に格納可能な最大用紙サイズに限定されたということができる。
　また，請求項２〜４については，記載自体に変更はないが，請求項２及び請求項３は請求項１を引用し，請求項４は請求項１を引用する請求項３をさらに引用するものであるから，実質的に上記と同じ内容の補正がなされたものである。
　してみると，本件補正は，平成１８年法律第５５号改正附則第３条第１項によりなお従前の例によるとされる同法による改正前の特許法特許法第１７条の２第４項第２号の特許請求の範囲の減縮を目的とするものに該当する。
　そこで，本件補正後の請求項１に記載された発明（以下，「本件補正発明」という）が，特許出願の際独立して特許を受けることができるものであるかについて検討する。
　
（２）刊行物記載の発明
　本件出願前に頒布された特開２００１−７７９５８号公報（以下，「刊行物１」という）には，【図７】とともに，次のことが記載されている。
　
（ア）
「【０００２】
【従来の技術】図７は、従来の画像読取手段としてのフラットベッドタイプスキャナの読取部と画像形成手段としてのプリンタ部を併せ持つ画像形成装置である複写機の断面図である。
【０００３】読取部の構成は、上面のはぼ全域が透明な原稿台１となっている筐体２、筐体２の内部に棒状の光源３およびミラー４が固定された第一走査ユニット５、ミラー６，７のそれぞれの反射面が直角になるように配置固定された第二走査ユニット８、モータ９、レンズ１０、ＣＣＤ１１よりなっている。
【０００４】第一走査ユニット５は原稿台１に平行な面で、かつミラー４の長手方向（主走査方向）に直角な方向（図中の矢印方向：副走査方向）に、原稿台１全域をモータ９により移動しながら、原稿台１に載せられた原稿１２に光源３からの光を照射し、その反射光をミラー４にてミラー６に導き、その後ミラー７にて反射され、レンズ１０よりＣＣＤ１１上に画像を１ライン毎（主走査方向）に結像させて読み込む。
【０００５】この際、ミラー６，７を固定した第二走査ユニット８は、第一走査ユニット５の半分の移動量にて同一向きに動く。これによって原稿１２からＣＣＤ１１までの光路長を一定に保つ動きをする。
【０００６】この様に原稿台に載った原稿１２を副走査方向に第一，第二走査ユニットを動かしてＣＣＤ１１にて読み込む。
【０００７】一方、プリンタ部においては、画像情報に応じて変調されたレーザ光Ｌにて感光体ドラム１３上に潜像を形成し、潜像にトナーを載せてトナー画像を形成する。
【０００８】ほぼ同時にプリンタ部の最下部に配置されたカセット１４より給紙機構にてシートとしての紙は一枚ずつ分離されて内部に供給される。
【０００９】この給紙された紙は感光体ドラム１３に運ばれ、トナー画像を紙面上に転写され、その後、定着器１５にて熱と圧力でトナー画像を紙面上に定着され、読取部とプリンタ部との間に設けられた排紙空間１６に排紙される。」
　
（イ）図７によれば，画像形成装置は，上部に配設されたフラットベッドタイプスキャナの読取部，下部に配設されたカセット１４及びそれらの間に配設されたプリンタ部によって概ねコ字型に形成され，該コ字型に囲まれた空間の一部を排紙空間１６としていることが読み取れ，また，排出された紙を載置するための板状部材が，排出方向に向かって高くなるように，かつ先端が排紙空間１６から飛び出すように設けられていることが読み取れる。また，該板状部材の上に載置され，かつ先端が排紙空間１６から飛び出しているように描かれた用紙は，カセット１４から供給され，印刷後に排出された用紙と解される。
　
　上記記載事項（ア）〜（イ）からみて，刊行物１には，次の発明（以下，「刊行物発明」という）が記載されているといえる。
「上部にフラットベッドタイプスキャナの読取部が配設され，下部にカセット１４が配設され，それらの間にプリンタ部が配設されて概ねコ字型に形成され，該コ字型に囲まれた空間の一部に排紙空間１６が形成され，排出された紙を載置するための板状部材が，排出方向に向かって高くなるように，かつ先端が排紙空間１６から飛び出すように設けられた画像形成装置であって，カセット１４には，排紙空間１６に排出されたときに排紙空間１６から飛び出すサイズの用紙が格納される画像形成装置。」
　
（３）対比・判断
　本件補正発明と刊行物発明とを対比する。
　刊行物発明の「フラットベッドタイプスキャナの読取部」「カセット１４」「プリンタ部」「排紙空間１６」は，それぞれ本件補正発明の「原稿読取部」「給紙部」「画像形成部」「中間部空間」に相当し，また，排出された紙を載置するための板状部材のうち排紙空間１６に存在する部分は，本件補正発明の「用紙収納部」に相当するから，本件補正発明は，刊行物発明と比較して相違点が見当たらない。
　したがって，本件補正発明は，刊行物発明と同一であるから，特許法第２９条第１項第３号の規定により，特許出願の際独立して特許を受けることができないものである。
　
（４）むすび
　以上のとおり，本件補正は，平成１８年法律第５５号改正附則第３条第１項によりなお従前の例によるとされる同法による改正前の特許法第１７条の２第５項において準用する同法第１２６条第５項の規定に違反するので，同法１５９条第１項の規定において読み替えて準用する同法第５３条第１項の規定により却下すべきものである。
　
３．原査定  
　原査定の拒絶理由は，次のとおりのものと認める。 
　「この出願の請求項１〜４に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」
 　　　　　　　　　　　　　　　　　記 
　１；特開２００３−２５０８号公報 
　２；特開平５−１８６１２１号公報 
　 
　上記刊行物のうち特開２００３−２５０８号公報を，以下，「引用例１」という。
 　 
４．当審の判断 
４−１　本件発明 
　本件補正は上記のとおり却下されたので，本件出願の請求項１に係る発明（以下，「本件発明」という）は，平成１９年８月６日付け手続補正書の特許請求の範囲の請求項１に記載された事項により特定される，次のとおりのものである。 
 　 
 「装置本体の上部に配設され、原稿の画像情報を読取る原稿読取部と、前記装置本体の下部に配設され、印刷を行うための用紙を収納する給紙部と、前記装置本体の中間部片側に配設される画像形成部と、を具備し、前記装置本体が、前記原稿読取部と給紙部と画像形成部とによって「コ」の字型に形成され、前記装置本体の中間部空間に用紙収納部を配設した画像形成装置に設けられる排紙機構であって、前記用紙収納部の長さは、印刷可能な最大用紙サイズの先端部がはみ出す程度に短く設定され、該用紙収納部の用紙載置面は、用紙排出方向に上り勾配の傾斜が形成されることを特徴とする排紙機構。」
 　 
４−２　引用例１記載の発明 
　引用例１には，図面とともに，次のことが記載されている。 
　
（ア）
「【０００７】本発明の目的は、胴内排出部を備えた画像形成装置であっても長尺の用紙を適正に排出することができる画像形成装置を提供することである。
【０００８】
【課題を解決するための手段および発明の効果】上記の課題を解決するための請求項１記載の発明は、本体ハウジングの上下方向略中間部であり、読み取り光学部の下方でかつ給紙部の上方に形成された胴内排出部を有し、少なくとも該胴内排出部の用紙排出方向下流側端部に用紙取り出し開口が設けられた画像形成装置において、該胴内排出部に用紙排出方向下流側端部から用紙排出方向に向かって引き出し自在な延長トレイを設けたことを特徴とする画像形成装置である。
【０００９】この発明によれば、延長トレイを胴内排出部の用紙排出方向下流側端部から用紙排出方向に向かって引き出し自在にもうけているので、例えば定型サイズよりも長い長尺紙を排出する場合には、延長トレイを引き出しておけば、排出された用紙が胴内排出部からずり落ちることがないので、従来のように長尺の用紙が適正に排出されないという問題は発生しない。」
　
（イ）
「【００１２】
【発明の実施の形態】図１は本発明の一実施形態を示す概略図である。図２は本発明の一実施形態を示す概略斜視図である。図１を参照して、画像形成装置１の内部は本体ハウジング２によって覆われている。該本体ハウジング２の内部構成は以下のようになっている。即ち、上方には原稿を読み取る読み取り光学部３が配置されており下方には給紙部４が配置されている。
【００１３】該給紙部４の搬送方向下流側には画像形成部５が配置され、さらに搬送方向下流側には定着部７が配置され、さらに定着部７の搬送方向下流側には排出ローラ８が配置されている。これら給紙部４から排出ローラ８までの用紙搬送路は搬送経路６によって構成されている。」
　
（ウ）
「【００１４】搬送経路６を搬送されてきた用紙は該排出ローラ８によって胴内排出部９に排出されることとなる。該胴内排出部９は本体ハウジング２の上下方向略中間部であり、読み取り光学部３の下方でかつ給紙部４の上方に形成されている。
【００１５】図２を参照して、該胴内排出部９はその前面と右面（用紙排出方向下流側端部）に用紙取り出し開口が形成されている。胴内排出部９に排出された用紙はこの取り出し開口より取り出せるようになっている。
【００１６】さらに、該胴内排出部９の右面で前記取り出し開口の下方から延長トレイ１０が用紙排出方向に引き出し自在に設けられている。該延長トレイの底面にはラックギアが形成（図示せず）形成されており、該ラックギアはモータＭと駆動連結されている。よって、モータＭの回転によって、本体ハウジング２の右面から突出した状態（図１の実線で示す状態）と本体ハウジング２に格納された状態（図２の破線で示す状態）とを自動的に取りうる構成となっている。モータＭの回転制御は後述する用紙サイズ検出手段の検出結果に基づいて行われる。」
　
（エ）
「【００１８】該搬送経路６には、搬送されてきた用紙の搬送方向長さを検出するための検出スイッチ（該検出スイッチと図外の制御手段とによって用紙サイズ検出手段を構成する）Ｘが設けられている。・・・該制御手段には搬送系の周速が記憶されており、該検出スイッチＸのＯＮされる時間から用紙の排出方向長さＬ１（搬送途中である場合には用紙が検出スイッチＸを通過した長さ）をリアルタイムに算出できるようになっている。さらに、該制御手段には、後述する胴内排出部９の排出方向長さＬ２（本実施形態の場合Ｌ２＝４３０ｍｍである）が記憶されている。該制御手段では、検出スイッチＸによって検出する用紙の排出方向長さＬ１と該胴内排出部の排出方向長さＬ２とを比較し、Ｌ２よりもＬ１の方が長いか短いかを検出できるようになっている。」（段落【００１８】）
　
（オ）【図１】，【図２】及び上記記載事項（イ）によれば，画像形成部５及び定着部７は，本体ハウジング２の上下方向中間部左方寄りに設けられている。また，胴内排出部９における用紙載置面は水平方向を指向している。
　
　上記記載事項（ア）〜（オ）からみて，引用例１には，次の発明（以下，「引用発明」という）が記載されているといえる。
「本体ハウジング２の上方に原稿を読み取る読み取り光学部３が配置され，本体ハウジング２の下方に給紙部４が配置され，本体ハウジング２の上下方向中間部左方寄りに画像形成部５及び定着部７が配置され，さらに読み取り光学部３の下方かつ給紙部４の上方に胴内排出部９が形成されて本体ハウジング２の前面と右面（用紙排出方向下流側端部）に用紙取り出し開口が形成された画像形成装置であって，胴内排出部９に排出される長尺の用紙の排出方向長さＬ１が胴内排出部９の排出方向長さＬ２よりも長いとき，延長トレイ１０を引き出す画像形成装置。」
　
４−３　対比・判断 
　本件発明と引用発明とを対比する。 
　引用発明の「本体ハウジング２」「読み取り光学部３」「給紙部４」「画像形成部５及び定着部７」「胴内排出部９」「胴内排出部９の排出方向長さＬ２」及び「長尺の用紙の排出方向長さＬ１」は，本件発明の「装置本体」「原稿読取部」「給紙部」「画像形成部」「用紙収納部」「用紙収納部の長さ」及び「印刷可能な最大用紙サイズ」に相当する。 
　したがって，本件発明と引用発明は，
　「装置本体の上部に配設され、原稿の画像情報を読取る原稿読取部と、前記装置本体の下部に配設され、印刷が行われる複数枚のカットシート用紙を収納する給紙部と、前記装置本体の中間部片側に配設される画像形成部と、を具備し、前記装置本体が、前記原稿読取部と給紙部と画像形成部とによって「コ」の字型に形成され、前記装置本体の中間部空間に用紙収納部を配設した画像形成装置に設けられる排紙機構であって、前記用紙収納部の長さは、前記給紙部に格納可能な最大用紙サイズより短く設定される排紙機構。」である点で一致し，次の点で相違する。 
　
（相違点）
　本件発明の用紙収納部の用紙載置面は、用紙排出方向に上り勾配の傾斜が形成されるのに対して，引用発明の胴内排出部９の用紙載置面は水平方向を向いている点。
　
　上記相違点について検討する。 
　画像形成装置において，印刷後に排出される用紙を載置する面を，排出方向に上り勾配となるように傾斜させることは，前記刊行物１のほか，特開２００２−２１１８２２号公報や特開２００２−３０８５１１号公報に示されるように，本件出願前によく知られた技術であり，上記相違点は，この周知技術を参酌することにより，当業者が容易になし得たことである。
　
　以上のことから，本件発明は，引用発明及び上記周知技術に基いて，その出願前にその発明の属する技術の分野における通常の知識を有する者が容易に発明をすることができたものであるから，特許法第２９条第２項の規定により特許を受けることができない。 　
　
　なお，審判請求人は，平成２１年３月１１日付けの回答書において，請求項１を下記のとおりに補正する案を提示しているが，該補正案による請求項１に係る発明は，刊行物発明と比較して明確な差異が見いだせるものではないし，当審よりさらなる通知をすべき特別な事情を見いだすことはできない。
「装置本体の上部に配設され、原稿の画像情報を読取る原稿読取部と、前記装置本体の下部に配設され、印刷が行われる複数枚のカットシート用紙を収納する給紙部と、前記装置本体の中間部片側に配設される画像形成部と、を具備し、前記装置本体が、前記原稿読取部と給紙部と画像形成部とによって「コ」の字型に形成され、前記装置本体の中間部空間に用紙収納部を配設した画像形成装置に設けられる排紙機構であって、前記用紙収納部の長さは、前記給紙部に格納可能な最大用紙サイズより短く設定され、該用紙収納部に排出された最大用紙サイズの用紙は、該用紙収納部の用紙排出方向側に設けた開放部から突出した状態となり、該用紙収納部の用紙載置面は、用紙排出方向に上り勾配の傾斜が形成されることを特徴とする排紙機構。」
　
５．むすび 
　　原査定は，妥当である。 
　　したがって，結論のとおり審決する。